(57)【要約】　　　（修正有）【課題】色彩の判別、及び使用残量の確認が容易に出来，ガスバリア性（ガス不透過性）、紫外線から内容物を保護する効果を奏し、透明性および耐薬品性に優れ、しかも軽量な塗布具付容器を提供する。【解決手段】ポリエチレンナフタレート樹脂からなるブロー成形容器に、ネイルカラー液を充填し、ネイルカラー液の色を外部から識別可能とし、更に使用残量の確認が出来る塗布具付容器である。一端に第１塗布具４を突設し、他端には第２塗布具６を第１塗布具４とは反対方向に向けて突設した蓋部材５と、第１塗布具を筆軸２２ａの先端に差し込み、筆軸２２ａの上端を蓋部材５に嵌め込み、蓋部材５は開閉可能な開口部を有する細長い第１化粧料ボトル３ａと螺着し、更に第２塗布具６を筆軸２２ｂ先端に差し込み、筆軸２２ｂの上端を蓋部材５に嵌め込み、蓋部材５は開閉可能な開口部を有する細長い第２化粧料ボトル３ｂと螺着している塗布具付容器である。【選択図】　図１
2004073777.tif 000002
【特許請求の範囲】
【請求項１】
透明ポリエチレンナフタレート樹脂からなるブロー成形容器に、ネイルカラーを充填し、ネイルカラーの色を外部から識別可能とし、更に使用残量の確認が出来ることを特徴とする塗布具付容器。
【請求項２】
一端に第１塗布具（塗布筆）４を突設し、他端には第２塗布具（合成樹脂繊維束）６を第１塗布具４とは反対方向に向けて突設した蓋部材５と、第１塗布具４を筆軸２２ａの先端に差し込み、筆軸２２ａの上端を蓋部材５に嵌め込み、蓋部材５は開閉可能な開口部を有する細長い第１化粧料ボトル３ａと螺着し、第２塗布具（合成樹脂繊維束）６を筆軸２２ｂの先端に差し込み、筆軸２２ｂの上端を蓋部材５に嵌め込み、蓋部材５は開閉可能な開口部を有する細長い第２化粧料ボトル３ｂと螺着していることを特徴とする請求項１記載の塗布具付容器。
【請求項３】
第１塗布具がネイルカラーを爪全体に塗布する少し幅広の筆で、第２塗布具がネイルカラーを爪に部分的に塗布する先端が細い塗布具を設けていることを特徴とする請求項２記載の塗布具付容器。
【発明の詳細な説明】
【０００１】
【発明が属する技術分野】本発明は、透明硝子壜入りのネイルカラー容器に代わる合成樹脂製ネイルカラー容器に関するものである。
【０００２】
【従来の技術】従来知られている今までのネイルカラー容器は透明の硝子壜であった。このように透明硝子壜であった理由は、マニキュア着色に重要な色彩の判別と使用残量の確認等の為に外から見える必要性であった。
【０００３】
又、ネイルカラー液は速乾性が特に求められることもあって、原料のニトロセルローズの溶解剤として、酢酸ブチル、酢酸エチル等の溶解性・揮発性の非常に高い溶剤が使用されている。この為にもガスバリア性（ガス不透過性）及び耐薬品性の高い硝子壜を使用せざるを得なかった。
【０００４】
【発明が解決しようとする課題】しかしこのような硝子壜は破損し易い、破損して小さな切片で手を切ったりすることがある、又ガラスは比重が２．５と重く肉厚が厚くなる。例えば、５ｃｃの容量ものを設計した場合、合成樹脂壜は約３ｇで、ガラス壜は約８〜１０ｇとなる。
【０００５】
更にネイルアートが流行し、２色を塗布することが多くなっている。色彩が異なったりする場合には、その化粧料の数だけ塗布具付容器が必要となる。そうなると収納スペースにも困るし、特にバッグに入れて携帯する場合に、ガラス壜が割れて化粧料が流出するとか問題があった。
【０００６】
本発明は上記問題点を解決するためになされたものであって、ガスバリア性（ガス不透過性）、紫外線から内容物を保護する効果を奏し、透明性および耐薬品性に優れ、しかも軽量な塗布具付容器を提供することを目的とするものである。
【０００７】
【課題を解決するための手段】
上記目的を達成する為に本発明に係る塗布具付容器は、ガスバリア性（ガス不透過性）、耐薬品性、紫外線から内容物を保護する効果を奏するに優れた透明ポリエチレンナフタレート樹脂からなるブロー成形容器に、ネイルカラー液を充填し、ネイルカラー液の色を外部から識別可能とし、更に使用残量の確認が出来る塗布具付容器である。
【０００８】
一端に第１塗布具（塗布筆）４を突設し、他端には第２塗布具（合成樹脂繊維束）６を第１塗布具４とは反対方向に向けて突設した蓋部材５と、第１塗布具４を筆軸２２ａの先端に差し込み、筆軸２２ａの上端を蓋部材５に嵌め込み、蓋部材５は開閉可能な開口部を有する細長い第１化粧料ボトル３ａと螺着している。更に第２塗布具（合成樹脂繊維束）６を筆軸２２ｂ先端に差し込み、筆軸２２ｂの上端を蓋部材５に嵌め込み、蓋部材５は開閉可能な開口部を有する細長い第２化粧料ボトル３ｂと螺着している塗布具付容器である。
【０００９】
【作用】使用しないときには蓋部材の一端を第１化粧料ボトルの開口部に螺着すると共に、蓋部材の他端を第２化粧料ボトルの開口部に螺着すると、全体が１本の棒状体となる。
そして第１化粧料ボトル内の化粧液を塗布する場合には、蓋部材の一端を第１化粧料ボトルの開口部から外す。このようにすると、第１塗布具に第１化粧料ボトル内の化粧液が付着し、第２化粧料ボトルと蓋部材が握手部分として機能するので、この握手部分を手で持って第１塗布具に付着している化粧液を塗布できる。
一方、第２化粧料ボトル内の化粧料を塗布する場合には、蓋部材の他端を第２化粧料ボトルの開口部から外す。このようにすると、第２塗布具に第２化粧液ボトル内の化粧液が付着し、第１化粧液ボトルと蓋部材が握手部分として機能するので、この握手部分を手で持って第２塗布具に付着している化粧液を塗布できる。
【００１０】
【実施例】以下、本発明の実施例を図面に基づいて説明する。
図１は、本発明に係る塗布具付容器の実施例を示したものである。図において符号１は塗布具付容器、Ｃは内容物を示している。
【００１１】
一端に第１塗布具（塗布筆）４を突設し、他端には第２塗布具（合成樹脂繊維束）６を第１塗布具４とは反対方向に向けて突設した蓋部材５と、第１塗布具４を筆軸２２ａの先端に差し込み、筆軸２２ａの上端を蓋部材５に嵌め込み、蓋部材５は開閉可能な開口部を有する細長い第１化粧料ボトル３ａと螺着している。第２塗布具（合成樹脂繊維束）６を筆軸２２ｂの先端に差し込み、筆軸２２ｂの上端を蓋部材５に嵌め込み、蓋部材５は開閉可能な開口部を有する細長い第２化粧料ボトル３ｂと螺着している。
上記塗布具付容器１は、上方に向けて開口する口部２ａを備えた有底筒状の第１化粧料ボトル３ａと、上記口部２ａを通じて第１化粧料ボトル３ａ内に挿入される第１塗布具４として先端に筆を具備し、蓋部材５に嵌合している。更に蓋部材５の上方には、下方に向けて開口する口部２ｂを備えた有底筒状の第２化粧料ボトル３ｂと、口部２ｂを通じて第２化粧料ボトル３ｂ内に挿入される第２塗布具（合成樹脂繊維束）６として先端に合成樹脂繊維束を具備しているものが、蓋部材５に嵌合している。
【００１２】
上記蓋部材５は、天板部１０の周縁部に下方に垂れる壁部１１が形成され、壁部１１の内面には雄ネジ１２に螺合する雌ネジ１３が形成されており、又壁部１１の略中央部少し上部に凹部１４が形成されている。そしてこの凹部１４内に第１塗布具４の後端部（上端部）の凸部２０が嵌着されている。
【００１３】
第１塗布具４はその後端部（上端部）２１に筆軸２２に一体化した基盤部２３を有している。この基盤部２３の上面には、周縁部から上方に起立する嵌着壁部２４を有し、嵌着壁部２４の外周部には蓋部材５の凹部１４に嵌着する凸部２０を設けている。第１塗布具４は合成樹脂毛であり、一つの爪全般を塗布する大きさである。
【００１４】
上記蓋部材５の天板部の周縁部上方に第２塗布具６を具備する機構であるが、第１塗布筆（塗布具）４を具備する機構とほぼ同じ機構なので、共通する部分については同一符号を付し、その説明を省略する。
【００１５】
第２塗布具６は細い合成樹脂繊維束であり、先端が細く描画するのに適当な細さのものを具備している。
【００１６】
第１化粧料ボトル３ａ、第２化粧料ボトル３ｂはガス不透過性、耐薬品性及び紫外線から内容物を保護する効果を奏するに優れた透明ポリエチレンナフタレート樹脂からなるブロー成形容器である。透明ポリエチレンナフタレート樹脂とは、例えばエチレングリコールと、２，６−ナフタリンジカルボン酸メチルエステルとのエステル交換重合法等によって得られる樹脂であり、一般に市販されている樹脂である。本発明においてはポリエチレンナフタレート樹脂として、他の成分を共重合した変性ポリエチレンナフタレート樹脂を含み、テレフタール酸、イソフタル酸、２，６位以外のナフタリンジカルボン酸等のジカルボン酸成分、ジエチレングリコール、プロピレングリコール、１，４−シクロヘキサンジメタノール、ネオペンチルグリコール等のジオール成分、Ｐ−β−ヒドロキシエトキシ安息香酸等のオキシ酸成分を１〜１０モル％共重合したものを使用することが出来る。特に、テレフタール酸を酸成分に対し、１〜１０モル％共重合したものを用いることにより、成形品の透明性が得られ、成形性にも優れることから望ましい。
【００１７】
上記のようにこの発明は蓋部材５に第１塗布筆（塗布具）４と第２塗布具６を同軸上に具備している。第１化粧料ボトル３ａ、第２化粧料ボトル３ｂが上下に２つ螺合している。もし化粧料ボトル３を硝子壜にすると、硝子の比重は２．５と重く、肉厚が厚くなる。ポリエチレンナフタレート樹脂の比重は１．３３であり、肉厚も１．２ｍｍ位で成形できる。例えば、５ｃｃの容量ものを設計した場合、合成樹脂壜は約３ｇで、ガラス壜は約８〜１０ｇとなる。
よって、使用するときに第１塗布筆（塗布具）４を使用する場合、蓋部材５に第２塗布具６と、第２化粧料ボトル３ｂをセットした状態で、蓋部材５を回転する必要がある為、特にポリエチレンナフタレート樹脂からなるブロー成形容器であり、軽くて女性の手であっても容易に取り扱うことが可能となる。又、硝子壜と違ってポリエチレンナフタレート樹脂を破損しても小さな切片になることはなく、手を切ったりすることがないので安全である。
また、この実施例のように２本のボトルを同軸上に蓋部材を共通にしてセットにする場合、特にガラス壜で試作をしてみると、重さで、蓋部材が屈曲することもあった。透明ポリエチレンナフタレート樹脂のブロー成形容器を同様に２本のボトルを同軸上に蓋部材を共通にしてセットにすると軽量である為、蓋部材が屈曲することはなかった。
【００１８】
この透明ポリエチレンナフタレート樹脂からなるブロー容器本体１にネイルカラー液として酢酸ブチル、酢酸エチル、ニトロセルロース、トルエンスルホンアミド樹脂、クエン酸アセチルトリブチル等を入れて蓋部材５をして４０℃の恒温槽に３ヶ月放置しても、約０．８％しか揮発しなかった。硝子壜の場合は約１．０％揮発した。更に透明ポリエチレンナフタレート樹脂のブロー容器本体に上記と同じネイルカラー液を入れて、室内に３ヶ月放置しても紫外線等によるネイルカラー液の色の劣化・変色が見られなかった。
【００１９】
【発明の効果】本発明に係るネイルカラー用の容器は、上記のような構成であるので、ネイルカラー着色に重要な色彩の判別、及び使用残量の確認が容易に出来て使いやすいものであり、特に上記のようにガスバリア性（ガス不透過性）、耐薬品性、紫外線から内容物を保護する効果を奏するに優れたポリエチレンナフタレート樹脂を利用して容器本体を構成したので、ガスバリア性が顕著に高くてネイルカラー液が固まり（所謂乾燥）を起しにくいものであり、又軽量で破損しにくい。
又、２種類のネイルカラー液を入れて、最初に爪を塗る場合には筆を使用し、乾いてから、ピンポイントに柄を描くのには先端の細い合成樹脂繊維束で描くことができる。容器本体を外して塗布する場合に、他方の容器本体が蓋部材と共に握手部分として機能するので、塗布時に持ち易いばかりでなく、微細な動きを容易に出来る。従って使用者が所望する位置に正確にネイルカラー液を塗布することが出来、塗布操作に未熟な人も失敗することなく塗布できる。
【図面の簡単な説明】
【図１】実施例の断面図
【符号の説明】
１・・・・塗布具付容器
３・・・・化粧料ボトル
４・・・・第１塗布具
６・・・・第２塗布具
５・・・・蓋部材
【図１】
2004073777.tif 000003